(57)【要約】【課題】デジタル書籍の違法なコピーを抑制するとともに、読者が内容を把握して安心して購入できるシステムを提供する。【解決手段】選択された頁に応じてコンテンツを表示するように構成したデジタル書籍であって、頁の一部を無料で閲覧できる立ち読み部分を備え、パスワード入力によって全ての頁を閲覧できるようにした。また、選択された部分のコンテンツを表示するように構成したデジタル書籍であって、このデジタル書籍から、ワープロのデータ形式でファイルを抽出できるようにした。【選択図】        図１
2004280478.tif 000002
【特許請求の範囲】
【請求項１】
選択された頁に応じてデジタルコンテンツを表示するように構成したデジタル書籍であって、頁の一部を無料で閲覧できる立ち読み部分を備え、パスワード入力によって全ての頁を閲覧できるようにしたことを特徴とするデジタル書籍。
【請求項２】
目次別のリストと、選択されたリストに応じてデジタルコンテンツを表示するように構成したデジタル書籍であって、目次の一部を無料で閲覧できる立ち読み項目を備え、パスワード入力によって全ての目次の項目を閲覧できるようにしたことを特徴とするデジタル書籍。
【請求項３】
請求項１または請求項２において  パスワードはクレジットカードまたはインターネット銀行による料金支払いによって得られるものであることを特徴とするデジタル書籍。
【請求項４】
請求項１または請求項２において、これらのデジタル書籍の中に広告機能を盛り込むととんだことを特徴とするデジタル書籍。
【請求項５】
請求項１または請求項２において、パスワードは特定の広告にアクセスすることによって得られるものであることを特徴とするデジタル書籍。
【請求項６】
請求項１または請求項２において、パスワード入力時に、使用者の氏名またはメールアドレスを入力させ、これに基づいてデジタル書籍の著作者または出版社に自動的に電子メールを送信するようにしたことを特徴とするデジタル書籍
【請求項７】
請求項１または請求項２において、これらのデジタル書籍はオンライン上に設けられるＷｅｂサイトに収録され、キーワード入力で検索できるようにしたことを特徴とするデジタル書籍。
【請求項８】
選択された部分のデジタルコンテンツを表示するように構成したデジタル書籍であって、このデジタル書籍から、ワープロのデータ形式でファイルを抽出できるように構成したことを特徴としたデジタル書籍。
【請求項９】
選択された部分のデジタルコンテンツを表示するように構成したデジタル書籍であって、デジタル書籍から、テキスト情報を抽出できるように構成したことを特徴としたデジタル書籍。
【請求項１０】
頁のリストと、選択された頁に応じてデジタルコンテンツを表示するように構成したデジタル書籍であって、頁の一部を自由に見ることができる立ち読み機能を備えるとともに、他の頁はパスワードをつけて圧縮し、パスワード入力によって解凍し、全ての頁を閲覧できるようにしたことを特徴とするデジタル書籍。
【請求項１１】
目次別のリストと、選択されたリストに応じてデジタルコンテンツを表示するように構成したデジタル書籍であって、リストの目次の一部を自由に見ることができる立ち読み機能を備えるとともに、他の目次項目はパスワードをつけて圧縮し、パスワード入力によって解凍し、全ての目次項目を閲覧できるようにしたことを特徴とするデジタル書籍。
【発明の詳細な説明】
【０００１】
【発明が属する技術分野】
本発明は、コンピューターあるいはゲーム専用機を用いて読むデジタル書籍に関する。
【０００２】
【従来の技術】
さまざまな情報がインターネットのホームページのＨＴＭＬの閲覧などによって無料で入手できる時代である。しかし逆に言えば、有益な情報を発信している個人や法人はなんの利益も得られない問題点がある。またＨＴＭＬで作成されていると、多数のファイルが必要隣、煩雑であった。
また既存の紙の書籍の出版社はデジタルコピーされることを恐れ、インターネット上などでのコンテンツの配信に慎重になっている。
本発明は、デジタルコンテンツを内蔵したデジタル書籍に関する。ここでのコンテンツには文章、音声、音楽、効果音、静止画像、動画などが含まれる。
【０００３】
【発明が解決しようとする課題】
これらのデジタル書籍の提供を著作者や出版社の利益が確保され、かつ読者にとっても便利になるように、インターネットや書店で配布するには新たな工夫が必要になる。
従来のデジタル書籍は、デジタルであるがゆえに簡単に複製され、制作者が意図しない違法なコピーが氾濫する恐れがある。
また購入する際に、読者はデジタル書籍の内容を見ることができず、その内容を把握しにくいという問題がある。つまり、読者はクレジットカードなどで、デジタル書籍料金を支払うことになるが、読者側も、デジタル書籍の内容を見ることなく購入するのには不安がつきまとう。
そこで、本発明では、著者側と読者側の両者にとって有益で便利なデジタル書籍を提案するものである。
またデジタル書籍とした場合、その再生機（例えばノートパソコンや携帯電話など）を携帯する必要があり、不便だという不具合がある。
【０００４】
【課題を解決するための手段】
本発明は、一部を無料で閲覧できる立ち読み機能を備え、料金支払いによって得られるパスワード入力によって全てを閲覧できるように構成するものである。
あるいは、一部を無料で閲覧できる立ち読み機能を備え、他は圧縮して料金支払いによって得られるパスワード入力によって解凍し、全てを閲覧できるように構成するものである。
また、デジタル書籍の一部をワープロデータとして抽出するなどして印刷可能に構成したものである。
【０００５】
【発明の実施の形態】
本発明は、デジタルに関する発明であり、そのポイントは、一言で言えば、デジタル書籍を分割し、無料情報と有料情報に分けた点にある。無料情報とは、現実の書店で立ち読みをする感覚で、デジタル書籍の一部を立ち読みできるという意味である。
【０００６】
【実施例】
以下、本発明の一実施例を図１により説明する。図１は本発明の一実施例を示す。これは、インターネットを用いたデジタル書籍流通システムの概念図である。いわゆるエンドユーザーがデジタル書籍を提供する業者にインターネットを経由してアクセスしている図を観念的に示している。現実のインターネットは複数のサーバーがお互いに接続して稼動しており、正確にはもう少し複雑であるが、詳しい説明は割愛した。
【０００７】
まずＵ１、Ｕ２、Ｉ３で示されるのが、読者であるエンドユーザーＡ、エンドユーザーＢとエンドユーザーＣである。彼らはインターネットを経由してデジタル書籍のサーバーＳにアクセスする。正確には、このデジタル書籍のインターフェイスＤを介してということになる。
【０００８】
このデジタル書籍のサーバーＳには、デジタル書籍のパスワード発行システムＪと印税支払いシステムＫと広告のデータベースＡとが接続されている。更に、販売実績による並べ替えシステムＨが接続されている。図示は省略したが、会員データベースなどを接続しても良い。
これらのデジタル書籍はオンライン上に設けられるＷｅｂサイトに収録され、キーワード入力で検索できるように構成する。
【０００９】
まず、読者であるエンドユーザーＵ１，Ｕ２，Ｕ３は、オンラインを経由して、興味を持ったデジタル書籍をダウンロードする。デジタル書籍は一部分の目次だけを無料で閲覧できるようになっている。全部を読みたいと思ったエンドユーザーは、クレジットカードなどの電子決済システムを利用して、デジタル書籍を購入することになる。この時、デジタル書籍のパスワード発行システムＪから、パスワードが発行され、それをエンドユーザーが入力することにより、全ての目次や機能を使うことができるようになる。
また、この時に前記の印税支払いシステムＫによって、デジタル書籍の著作者に印税が支払われる。
パスワード入力時に、使用者の氏名またはメールアドレスを入力させ、これに基づいてデジタル書籍の著作者または出版社に自動的に電子メールを送信するように構成すると、不正にパスワードを入手しようとする者を排除しやすい。
また、パスワードは月ごとに自動変更されるように構成して、パスワードの不正入手者の対策をすることができる。
【００１０】
図２に基づいて、デジタル書籍の構造を説明する。１００はＷｅｂサーバー上に設けられたサーバースペースである。
２００は、その中に配置されたデジタル書籍を表す。デジタル書籍配布手段２０１とワープロ文書抽出手段２０２とパスワード発行手段２０３により構成されている。
パソコンＴはＣＰＵやメモリやハードディスクなどの各種記憶装置を備え、Ｗｅｂに接続できるように構成されている。モニタＭに接続され画面を表示できる。
なお、パソコンではなく、ゲーム専用機のようなコンピューターであっても良い。
またデジタル書籍は、Ｗｅｂ（インターネット）上にて提供されても良いし、パソコンが読み取り可能なＣＤまたは  ＤＶＤ３００にて提供されても良い。
また、デジタル書籍の構成は、ひとつのＥＸＥファイルで構成することで、ファイルが多すぎる煩わしさに悩む必要もない。
【００１１】
図３のフローチャートに基づいて、これらのデジタル書籍２００のダウンロードインターフェイスＤの動作について、説明する。
ステップＳ１０１において「送金されたか」否かがチェックされる。これは主にインターネットによるクレジット決済の場合が多いが、コンビニでの決済など他の代替手段を用いるものでも良い。
Ｓ１０２において、該当する読者にパスワードを発行する。この発行手段は、主に電子メールだが、郵便はがきなどで代替しても良い。
Ｓ１０３において、該当する著者への印税の支払いが行われる。送金が行われるたびに行っても良いが、実際の支払いは、例えば一ヶ月間ストックしてからでも良い。
Ｓ１０４において、販売データベースに記録し、いわゆる売れ筋のデジタル書籍をＷｅｂ購入画面の上位に配置させる動作を行う。
【００１２】
さらに、送金しなくても良いシステムであっても良い。この場合、エンドユーザーは、広告のデータベースＡから提供される広告を読むことによって、パスワードを発行してもらうように構成する。この際には、著作者には広告を提供している会社の経費として印税が支払われることになる。
図４においては、送金ではなく、Ｓ２０１において広告が閲覧されたか否かでパスワードを発行している。以降のステップＳ２０２，Ｓ２０３，Ｓ２０３，Ｓ２０４は、図３と同じなので説明を省略する。
【００１３】
デジタル書籍の例を以下に挙げる。なお、以下に例として挙げるものは、発明者自身が発明の説明のために、取材したり、書いたりしたものであって、第三者の著作権を侵害するものではない。以下は、モニタＭに表示される画面を例にとって説明していく。
【００１４】
まず図５に示すのは、パソコンの開発言語であるＶｉｓｕａｌ  Ｂａｓｉｃ  の入門書のデジタル書籍である。
１で示されるのが目次であって、「※」が付与されている部分は無料で閲覧できるようになっている。図の場合では、目次のうち「Ｖｉｓｕａｌ  Ｂａｓｉｃの基本操作」と「最初のプログラム」が無料で閲覧できる。
「※」が付与されていない項目や頁については、パスワード入力欄Ｐに、正しいパスワードを入力して初めて閲覧することができる。パスワードを入手するにはオンラインでのクレジット決済やインターネット銀行の口座への振込むことによって、発行してもらうことになる。パスワード入力は毎回必要なものを想定しているが、１度パスワードを入力するだけのものとしても良い。
【００１５】
あるいは、Ｗｅｂでの購入でなく、本屋などで購入した場合は、デジタル書籍の入ったパッケージ（または薄い書籍）にパスワードが記入されている。
Ｎで示されるのはスクロールバーであって、これをドラッグアンドドロップすることにより、その下にある目次を表示させることができる。
【００１６】
解説文は目次である２（実施例では「最初のプログラム」）が表示され、解説図（フォームの設計図）が３で示され、解説文が４で示される。
解説文４が一画面に収まらない場合には、頁めくりボタンＹによって、次頁や前頁などに自在に移動できる。
抽出ボタンＣをクリックすると、説明しているサンプルのソースコードを外部に切り出せる。印刷ボタンＥをクリックすることによって、解説文や解説図を印刷できる。
なお、この例では、Ｖｉｓｕａｌ  Ｂａｓｉｃという開発言語に関する解説本を例にして書いてみたが、ワードやエクセルといった著名なアプリケーションの使いこなしの本として加工することもできる。
この実施例の場合には、以下の発明を含んでいる。すなわち、選択された部分のコンテンツを表示するように構成したコンピューター関連のデジタル書籍であって、このデジタル書籍から、コンビュータのファイルを抽出できるように構成しているのである。これによって、パソコン学習で煩雑な、書籍とソースファイルを交互に見比べるといった煩雑な作業が不要になるというメリットがある。
【００１７】
図６に示すのは英語の教科書または参考書である。図４で概略を説明したので、共通している図番の説明は省く。この場合、左のリスト１で「※」が付与されているのは、Ｌｅｓｓｏｎ  １である。その他の  Ｌｅｓｓｏｎを見るには、パスワードの入力が必要になる。
なお、抽出ボタンＣは、デジタル書籍の該当する章をワープロ文書データ（例えば、マイクロソフト社のワードの文書ファイル）として、外部に抽出する機能を持っている。
あるいは、抽出ボタンＣにより、テキスト情報を抽出できるように構成するとともに、そのテキストは画像データという形でのみ抽出可能としても良い。
このデジタル書籍の特徴は、「正しい発音」ボタン５と「正しい和訳」ボタン６を備えていることである。「正しい発音」ボタン５のクリックにより、ネイティブスピーカーの発音を音声として聞くことができるシステムになっている。また、「正しい和訳」ボタン６の操作によって、日本語による音声、またはテキストによる表示が行われる。
この実施例の場合は、以下の発明を含んでいる。すなわち、英語を学習するデジタル書籍において、英語の発音と日本語による発音を交互に聞くことができるようになるため、語学の勉強が容易になるのである。
【００１８】
図７に示すのは、歌詞ならびに曲のデジタル書籍である。図４で概略を説明したので、共通している図番の説明は省く。ボタン７によって、デジタル化された音楽データが演奏される。抽出ボタンＣをクリックすることによって、歌詞がワープロ文書データとして切り出される。あるいは、カラオケのためのＭＩＤＩファイルやＭＰ３データを抽出しても良い。
演奏ボタン７をクリックすることによって演奏が行われる。これはリストをマウスでダブルクリックすることによって行っても良い。ちなみに歌詞の「クリスマス」は発明者が即興で作成したものであることを付記しておく。
この実施例の場合には、以下の説明を含んでいる。すなわち、歌詞とメロディをデジタル書籍として構成することによって、パソコンで曲を楽しむことができる上、カラオケの練習なども行えるからである。また歌手の画像やプロフィール情報を追加することで、魅力あるデジタルコンテンツにすることができる。
【００１９】
図８に示すのは、いわゆる動画コンテンツを含んだデジタル書籍である。例として、矢沢永吉氏のコンサート（ライブ）の動画と音声を自在に閲覧できる。ただ、サンプルとして、例えば一曲の動画と音声が無料で公開され、他を見るにはパスワードの入手が必要になる。
この実施例の場合には、動画コンテンツを含んだデジタル書籍として有用である。特にコンサートやライブなどは、最初から見ることを強いられるが、この実施例では任意の曲を自在にセレクトできる効果がある。
【００２０】
図９に示すのは、交友関係を求める情報誌的なデジタル書籍である。この場合には、男性のみが無料で閲覧できるようになっている。女性のプロフィールデータは、パスワードを入力しないと閲覧できないシステムである。
説明文が２箇所にあるので、４Ａ，４Ｂと付記したが、ひとつにまとめて表示するようにしても良い。この場合も抽出ボタンをクリックすると、デジタル書籍の該当する章をワープロ文書データとして、外部に抽出する機能を持っている。
なお、写真は発明者の写真を加工したものであって、肖像権的に問題がないことを付記しておく。なお、静止画でなく音声を含む動画データでも良い。
なお、デジタル書籍の中にハイパーリンク機構を盛り込み、インターネット上の特定のＵＲＬにアクセスしたり、メールが出せるように構成しても良い。
この実施例の場合には、交友関係を求める人たちの情報誌としての役割を果たすことができる。携帯電話やメールアドレスを公開するか否かは、自由に設定できるように構成する。これによって、安心して新たな交友関係を築くことが可能となる。
【００２１】
図１０に示すのは、観光案内のガイドのデジタル書籍である。図４で概略を説明したので、共通している図番の説明は省く。この場合も、抽出ボタンＣは、デジタル書籍の該当する章をワープロ文書データ（例えば、マイクロソフト社のワードの文書ファイルやジャストシステム社の一太郎の文書ファイル）として、外部に抽出する機能を持っている。
この場合、観光名所で紹介されている観光所がインターネット上にホームページを公開しており、そこにパスワードが記載されていることになる。すなわち、広告が閲覧されたらパスワードを発行するように構成しても良い。
この実施例の場合には、とかくバラバラになりがちな観光名所を一覧リストから選択することができる上、開門している時間や交通情報が得られるため、観光がとても簡単になるメリットがある。またデジタル書籍でアクセスした人に拝観料の割引サービスを行うこともできる。
【００２２】
図１１に示すのは、テレビ番組表のデジタル書籍である。４Ｇで示されるのは、テレビ番組のＧコードを表す。番組スポンサーの広告ボタン１１をクリックすることによって、無料でパスワードを入手できる点が特徴である。
この場合は時事性が強いため、単なるテレビ番組表では魅力に欠けるから、ハイパーリンク機構やドラマや歌手の取材記事などを掲載することで、既存の紙にない利点を提供していくことができる効果がある。
【００２３】
図１２に示すのは、グルメガイドのデジタル書籍である。地域情報誌として発行する場合を想定したので、限られた地区の店を紹介しかしていないが、全国の情報を収録することも可能である。
ここで注目すべきは、パスワードの入力欄がないことである。すなわち、デジタル書籍の出版元は、各店舗からの、広告収入により運営される。
電話ボタン１２が存在するので、これをクリック操作することにより、自動的に電話をかけて、詳細を問い合わせたり、予約を取ることができる。
【００２４】
図１３に示すのは、ファッション関係のデジタル書籍である。この場合には、衣料品メーカーからの広告宣伝費で運用されるため、パスワード欄はない。服の色や柄を選択できる機能１３を備えており、自在に色柄を変更して選ぶことができる。そして、メール送信ボタン１４によって、選んだファッションメーカーへ注文できるように構成している。いわば、カタログ的な使用になるが、デジタル書籍の利用者は、自らデザインを決めて、自分に合ったファッションを自宅にいながらにして注文して入手できるメリットがある。
【００２５】
図１４に示すのは、頁の一部を自由に見ることができる立ち読み機能を備えるとともに、他の頁はパスワードをつけて圧縮し、パスワード入力によって解凍し、全ての頁を閲覧できるようにした構成である。
このデジタル書籍は、立ち読み機能を備えた無料閲覧部４００を備えている。更に、有料圧縮部５００によって構成されている。そして有料閲覧部は、料金の支払いによって得られるパスワードが得られていない場合には、パスワード認識部５０１が解凍を拒否する。そして、パスワードが正しいとパスワード認識部５０１が認識すると、解凍機能５０２を使って、デジタルコンテンツ５０３が解凍され、閲覧することが可能となっている。圧縮・解凍ツールとしては、ＬＨＡやＺＩＰが一般的には知られているが、本発明において必要なのは、パスワードを入力することによって解凍できるものである。
【００２６】
なお、頁単位でなくて以下のように構成しても良い。目次次別のリストと、選択されたリストに応じてコンテンツを表示するように構成したデジタル書籍であって、リストの目次の一部を自由に見ることができる立ち読み機能を備えるとともに、他の目次項目はパスワードをつけて圧縮し、パスワード入力によって解凍し、全ての目次項目を閲覧できるように構成する。
【００２７】
その他にもデジタル書籍は、無数に考えられる。例えば、以下のようなものである。
・ヒット曲全集と題して、歌詞が掲載され、音楽のサビの部分だけが登録されているような音楽雑誌的なデジタル書籍。いわゆるイントロクイズのような娯楽性が高いものでも良い。
・テレビコマーシャルのコレクションの電子書籍（パスワード不要）テレビ局の広告番組は莫大な金額をかけて製作されるが、それは消費者に購入してもらうためである。したがって、テレビでコマーシャルを流すよりも効果的な宣伝効果を挙げることができるかもしれない。
・ゲーム専用機のデモの動画や体験版を収録したゲーム専門書籍の電子書籍。このような構成にすることによって、ゲームを購入する時の参考にすることができる。
・車やギャンブル（パチンコなど）の機種の紹介と解説を掲載したカタログ的なデジタル書籍。これは月刊誌というか雑誌的なニュアンスが強くなり、時事性が高くなってしまうため、販売数が伸びるかは危険な面もあるが、逆に最新の情報に触れることができるメリットがある。
・アイドルの画像や動画を内蔵したデジタル書籍
このように構成することで、アイドルの写真集を安価に入手できることになる。また抽出ボタンのクリックによって、アイドルの画像を抽出できるように構成すれば、お手製のポスターを作ることができる。
・懐かしいドラマやアニメの名場面を年度とジャンルに分けて動画として内蔵した電子書籍。版権の問題が絡むから難しいかもしれないが、実現すれば、非常に貴重な資料として重宝されることは間違いない。
・（ファンタジー）小説のデジタル書籍
小説のデジタル書籍は、主に文章だけのことが多く、たまに挿絵が入ることもあるが、単なるテキストで構成できる。問題になるのは著者と出版社の著作権であるが、パスワード形式にすれば、その問題は解決する。あるいはダウンロード販売してもよい。
・コミックス（漫画）のデジタル書籍。
コミックスをスキャナで読み込むなどして画像データとして保存するとともに、セリフをテキストとして抽出することにより、頁の検索が容易になる。
・ノウハウを書いた実用書のデジタル書籍
ノウハウ実用書といっても、さまざまあるが、バイオリズムや占いや姓名判断といった統計的な？裏づけがあるものもある。例えば生年月日の入力により、今日の運勢を占うといったことが可能になる効果がある。
【００２８】
ただ、これらをデジタル書籍化するにあたっては、簡単に立ち読みできる機能を備えることと、デジタルコピーの氾濫により、著作者や出版社が不利益を受けないようにすることが大切になってくる。また、デジタル書籍であるゆえ、閲覧するためのコンピュータの持ち運びが必要になるが、それを補佐してくれるのが、ワープロ文書としての抽出機能なのである。あるいは、テキストを含む画像としての出力である。
【００２９】
【発明の効果】
以上説明したように、本発明によれば、以下の効果がある。
（１）選択された頁に応じてデジタルコンテンツを表示するように構成したデジタル書籍であって、頁の一部を無料で閲覧できる立ち読み頁を備え、パスワード入力によって全ての頁を閲覧できるようにしたので、読者はデジタル書籍の一部分を無料で立ち読みして内容の概略を把握することができる。またパスワードによって保護されるので、デジタルコピーの氾濫により、著者や出版社が大きな不利益をこうむることがない。
（２）目次別のリストと、選択されたリストに応じてデジタルコンテンツを表示するように構成したデジタル書籍であって、目次の一部を無料で閲覧できる立ち読み項目を備え、パスワード入力によって全ての目次の項目を閲覧できるようにしたので、読者はデジタル書籍の一部分を無料で立ち読みして内容の概略を把握することができる。またパスワードによって保護されるので、デジタルコピーの氾濫により、著者や出版社が大きな不利益をこうむることがない。また、目次によって本の構成の概要を把握できる。
【００３０】
（３）この時、パスワードはクレジットカードまたはインターネット銀行による料金支払いによって得られるものであるように構成することで、読者は格別に外出しなくてもデジタル書籍のパスワードを入手できることになる。
（４）これらのデジタル書籍の中に広告機能を盛り込むよう構成することで、広告主がスポンサーになり、デジタル書籍を安く制作できるため、制作側にも読者側にもメリットがある。
（５）  パスワードは特定の広告にアクセスすることによって得られるものにように構成することによって、広告主がデジタル書籍のスポンサーになる。デジタル書籍の読書側としては、広告を見なければならない面倒さは残るが、無料で閲覧することが可能になる。またデジタル書籍の発行者も、その制作費や利益をあらかじめ確実に確保できることになる。
【００３１】
（６）パスワード入力時に、使用者の氏名またはメールアドレスを入力させ、これに基づいてデジタル書籍の著作者または出版社に自動的に電子メールを送信するようにすることで、デジタル書籍の制作者側に使用者の利用状況が確認できることになり、デジタル書籍の不正コピーを予防することができる。
（７）これらのデジタル書籍はオンライン上に設けられるＷｅｂサイトに収録され、キーワード入力で検索できるように構成することにより、読者はインターネットにアクセスしてキーワード検索するだけで望むデジタル書籍を見つけ出すことが可能となる。
（８）選択された部分のコンテンツを表示するように構成したデジタル書籍であって、このデジタル書籍から、ワープロのデータ形式でファイルを抽出できるようにすることで、読者がデジタル書籍の中から紙で読みたいと考えた部分は印刷・加工することができるようになる。またデジタル書籍発行者側も全てをファイルとして書き出すのではないため、出版権を侵害される恐れがない。
【００３２】
（９）選択された部分のデジタルコンテンツを表示するように構成したデジタル書籍であって、デジタル書籍から、テキスト情報を抽出できるように構成するとともに、そのテキストは画像データという形でのみ抽出可能としたので、印刷は簡単だが、元のデジタル書籍そのものの出版権は確保することができる。
（１０）頁のリストと、選択された頁に応じてデジタルコンテンツを表示するように構成したデジタル書籍であって、頁の一部を自由に見ることができる立ち読み機能を備えるとともに、他の頁はパスワードをつけて圧縮し、パスワード入力によって解凍し、全ての頁を閲覧できるようにすれば、立ち読みして気に入った場合にパスワードを入力して、残りを解凍することができる。このように二分化することによって、デジタル書籍を作成する手間を大幅に削減することができることになる。上記の１〜９においては、コンテンツを分割することなくひとつのファイルに内蔵させる形が望ましいが、パスワード付きの解凍技術を用いることによって、ＨＴＭＬ形式での記述なども行える。
【００３３】
（１１）目次別のリストと、選択されたリストに応じてデジタルコンテンツを表示するように構成したデジタル書籍であって、リストの目次の一部を自由に見ることができる立ち読み機能を備えるとともに、他の目次項目はパスワードをつけて圧縮し、パスワード入力によって解凍し、全ての目次項目を閲覧できるように解凍することで、上記（１０）と同じ効果が得られる。
【図面の簡単な説明】
【図１】本発明のシステムを示す構成図である。
【図２】本発明の電子書籍を示す概念図である。
【図３】システムの一実施例を示すフローチャート図である。
【図４】システムの一実施例を示すフローチャート図である。
【図５】デジタル書籍の一実施例である。
【図６】デジタル書籍の一実施例である。
【図７】デジタル書籍の一実施例である。
【図８】デジタル書籍の一実施例である。
【図９】デジタル書籍の一実施例である。
【図１０】デジタル書籍の一実施例である。
【図１１】デジタル書籍の一実施例である。
【図１２】デジタル書籍の一実施例である。
【図１３】デジタル書籍の一実施例である。
【図１４】本発明の電子書籍を示す概念図である。
【符号の説明】
２００    デジタル書籍
２０１    デジタル書籍配布手段
２０２    ワープロ文書抽出手段
２０３    パスワード認証手段
【図１】
2004280478.tif 000003
【図２】
2004280478.tif 000004
【図３】
2004280478.tif 000005
【図４】
2004280478.tif 000006
【図５】
2004280478.tif 000007
【図６】
2004280478.tif 000008
【図７】
2004280478.tif 000009
【図８】
2004280478.tif 000010
【図９】
2004280478.tif 000011
【図１０】
2004280478.tif 000012
【図１１】
2004280478.tif 000013
【図１２】
2004280478.tif 000014
【図１３】
2004280478.tif 000015
【図１４】
2004280478.tif 000016